(57)【要約】【課題】  プリント料金の決済が簡易で、確実にできるプリント端末、プリントシステム、およびプリント料金決済システムを提供する。【解決手段】  第１のメモリカードに記録された画像データを読み取り、注文内容に基づきプリントし、プリント料金を決済できるプリント端末において、前記プリント料金を決済する際に、プリペイド機能を有する第２のメモリカードを用いてプリント料金を決済するよう制御する制御手段を備えたことを特徴とするプリント端末。【選択図】        図５
2007052578.tif 000002
【特許請求の範囲】
【請求項１】
画像データが記録された第１のメモリカードの画像データを読み取り、注文内容に基づきプリントを指示し、プリント料金を決済できるプリント端末において、
前記プリント料金を決済する際に、前記第１のメモリカードとは異なりプリペイド機能を有する第２のメモリカードを用いてプリント料金を決済するよう制御する制御手段を備えたことを特徴とするプリント端末。
【請求項２】
前記第１のメモリカードはプリペイド機能を有し、
前記制御手段は、前記第１のメモリカードにおけるプリペイド残数と、前記第２のメモリカードにおけるプリペイド残数との合算に基づいて前記プリント料金を決済するように制御することを特徴とする請求項１に記載のプリント端末。
【請求項３】
前記第１のメモリカードはプリペイド機能を有し、
前記制御手段は、前記第１のメモリカードにおけるプリペイド残数を前記第２のメモリカードより優先してプリント料金を決済するように制御することを特徴とする請求項１に記載のプリント端末。
【請求項４】
前記制御手段は、前記第１のメモリカードにおけるプリペイド残数が０となったとき、前記第２のメモリカードにおけるプリペイド残数を更新して不足金を決済するように制御することを特徴とする請求項３に記載の画像プリントシステム。
【請求項５】
前記第１のメモリカードはプリペイド機能を有し、
前記制御手段は、前記第２のメモリカードにおけるプリペイド残数を前記第１のメモリカードより優先して更新しプリント料金を決済するように制御することを特徴とする請求項１に記載のプリント端末。
【請求項６】
前記制御手段は、前記第２のメモリカードにおけるプリペイド残数が０となったとき、不足金を前記第１のメモリカードにおけるプリペイド残数を更新してプリント料金を決済するように制御することを特徴とする請求項５に記載のプリント端末。
【請求項７】
前記第１のメモリカードをスロットに装填した状態で、前記第２のメモリカードのプリペイド情報の読み取りを行うことを特徴とする請求項１から６のいずれか１項に記載のプリント端末。
【請求項８】
前記第２のメモリカードはプリペイド機能を有するＩＣタグを備え、前記ＩＣタグによりプリペイド情報の読み取りを非接触で行うことを特徴とする請求項７に記載のプリント端末。
【請求項９】
前記制御手段は、プリント指示の完了以前ではプリント料金の決済を行わないように制御することを特徴とする請求項１から８のいずれか１項に記載のプリント端末。
【請求項１０】
前記制御手段は、プリント指定の画像データが読み込まれた後にプリント料金を決済するように制御することを特徴とする請求項１から８のいずれか１項に記載のプリント端末。
【請求項１１】
請求項１から１０の何れか１項に記載のプリント端末を有し、第１のメモリカードに記憶された画像データに基づきプリントするプリンタを備えたことを特徴とするプリントシステム。
【請求項１２】
請求項１１に記載のプリントシステムに用いられ、プリント料金を決済する際に、プリペイド機能を有する第２のメモリカードを用いてプリント料金を決済することを特徴とするプリント料金決済システム。
【発明の詳細な説明】
【技術分野】
【０００１】
本発明は、プリント端末、プリントシステム、およびプリント料金決済システムに係わり、特にプリント料金の決済に関する。
【背景技術】
【０００２】
従来より、画像データの記録とプリペイド機能を兼用したプリペイド機能付きのメモリカードを使用して、このメモリカードに記録された画像データを読み取り、プリント注文内容に基づきプリントし、プリント料金を前記プリペイド機能により決済できるプリント端末の技術が開示されている（特許文献１、特許文献２参照）。
【特許文献１】特開２００１−６０２８６号公報
【特許文献２】特開２００２−１０９６３１号公報
【発明の開示】
【発明が解決しようとする課題】
【０００３】
しかしながら、プリペイド機能付きでないメモリカードを使用した場合は、プリペイド方式でのプリント料金の決済ができず、また、画像データが記録された複数のメモリカードを同時にプリント端末で取り扱う場合、プリペイド機能付きメモリカード、プリペイド機能なしのメモリカードが混在することもある。また、プリペイド機能付きメモリカードであってもプリペイド残高が万一不足することもある。このような従来技術においては、複数のメモリカードを取り扱いについては考慮されていないという問題がある。
【０００４】
本発明は上記の課題に鑑みなされたもので、本発明の目的は、プリント料金の決済が簡易で、確実にできるプリント端末、プリントシステム、およびプリント料金決済システムを提供することにある。
【課題を解決するための手段】
【０００５】
上記の目的は、下記の手段のいずれかにより達成される。
（１）画像データが記録された第１のメモリカードの画像データを読み取り、注文内容に基づきプリントを指示し、プリント料金を決済できるプリント端末において、前記プリント料金を決済する際に、前記第１のメモリカードとは異なりプリペイド機能を有する第２のメモリカードを用いてプリント料金を決済するよう制御する制御手段を備えたことを特徴とするプリント端末。
（２）前記第１のメモリカードはプリペイド機能を有し、前記制御手段は、前記第１のメモリカードにおけるプリペイド残数と、前記第２のメモリカードにおけるプリペイド残数との合算に基づいて前記プリント料金を決済するように制御することを特徴とする（１）に記載のプリント端末。
（３）前記第１のメモリカードはプリペイド機能を有し、前記制御手段は、前記第１のメモリカードにおけるプリペイド残数を前記第２のメモリカードより優先してプリント料金を決済するように制御することを特徴とする（１）に記載のプリント端末。
（４）前記制御手段は、前記第１のメモリカードにおけるプリペイド残数が０となったとき、前記第２のメモリカードにおけるプリペイド残数を更新して不足金を決済するように制御することを特徴とする（３）に記載の画像プリントシステム。
（５）前記第１のメモリカードはプリペイド機能を有し、前記制御手段は、前記第２のメモリカードにおけるプリペイド残数を前記第１のメモリカードより優先して更新しプリント料金を決済するように制御することを特徴とする（１）に記載のプリント端末。
（６）前記制御手段は、前記第２のメモリカードにおけるプリペイド残数が０となったとき、不足金を前記第１のメモリカードにおけるプリペイド残数を更新してプリント料金を決済するように制御することを特徴とする（５）に記載のプリント端末。
（７）前記第１のメモリカードをスロットに装填した状態で、前記第２のメモリカードのプリペイド情報の読み取りを行うことを特徴とする（１）から（６）のいずれか１項に記載のプリント端末。
（８）前記第２のメモリカードはプリペイド機能を有するＩＣタグを備え、前記ＩＣタグによりプリペイド情報の読み取りを非接触で行うことを特徴とする（７）に記載のプリント端末。
（９）前記制御手段は、プリント指示の完了以前ではプリント料金の決済を行わないように制御することを特徴とする（１）から（８）のいずれか１項に記載のプリント端末。
（１０）前記制御手段は、プリント指定の画像データが読み込まれた後にプリント料金を決済するように制御することを特徴とする（１）から（８）のいずれか１項に記載のプリント端末。
（１１）（１）から（１０）の何れか１項に記載のプリント端末を有し、第１のメモリカードに記憶された画像データに基づきプリントするプリンタを備えたことを特徴とするプリントシステム。
（１２）（１１）に記載のプリントシステムに用いられ、プリント料金を決済する際に、プリペイド機能を有する第２のメモリカードを用いてプリント料金を決済することを特徴とするプリント料金決済システム。
【発明の効果】
【０００６】
本発明によれば下記のような効果を有する。即ち、
請求項１に記載の発明によれば、プリント料金を決済する際に、プリペイド機能を有する第２のメモリカードを用いることにより、プリント料金を簡易で確実に決済することができるようになる。
【０００７】
請求項２に記載の発明によれば、プリント料金を決済する際に、第２のメモリカード以外にプリペイド機能を有する第１のメモリカードも用い、第１、第２のメモリカードのプリペイド残数を合算して決済するので、プリペイド残数の不足を防止できるようになる。
【０００８】
請求項３に記載の発明によれば、プリント料金を決済する際に、第２のメモリカード以外にプリペイド機能を有する第１のメモリカードも用い、第１のメモリカードにおけるプリペイド残数を優先してプリント料金を決済するので、ユーザーが第１のメモリカードを優先して決済したい場合、便利である。
【０００９】
請求項４に記載の発明によれば、請求項３の発明において、第１のメモリカードのプリペイド残数が０となったとき、第２のメモリカードで不足金を決済するので、第１のメモリカードのプリペイド残数を使い切ることができ、また、プリント料金の不足金を防止できるようになる。
【００１０】
請求項５に記載の発明によれば、プリント料金を決済する際に、第２のメモリカード以外にプリペイド機能を有する第１のメモリカードも用い、第２のメモリカードにおけるプリペイド残数を優先してプリント料金を決済するので、ユーザーが第２のメモリカードを優先して決済したい場合、便利である。
【００１１】
請求項６に記載の発明によれば、請求項５の発明において、第２のメモリカードのプリペイド残数が０となったとき、第１のメモリカードで不足金を決済するので、第２のメモリカードのプリペイド残数を使い切ることができ、また、プリント料金の不足金を防止できるようになる。
【００１２】
請求項７、８に記載の発明によれば、第１のメモリカードをスロットに装填した状態でも、第２のメモリカードのプリペイド残数の読み取りを行うことができるようになる。
【００１３】
請求項９に記載の発明によれば、プリント指示の完了以前ではプリント料金の決済を行わないようにするので、正確に決済がなされ、例えば、プリント指定がなく正しいプリント料金が計算できないにもかかわらず、誤ってプリント料金の決済がされることがなくなる。
【００１４】
請求項１０に記載の発明によれば、プリント指定の画像データが読み込まれた後にプリント料金を決済するので、正確に決済がなされ、例えば、画像データが読み込まれていない画像のプリント料金が、誤って決済されることがなくなる。
【００１５】
請求項１１に記載の発明によれば、プリント端末とプリント手段を有するプリントシステムとなる。
【００１６】
請求項１２に記載の発明によれば、プリント料金を決済する際に、プリペイド機能を有する第２のメモリカードを用いることにより、プリント料金を簡易で確実に決済することができるプリント料金決済システムとなる。
【発明を実施するための最良の形態】
【００１７】
以下、実施の形態１と実施の形態２に係わるプリント端末、プリントシステム、プリント料金決済システムについて図面を参照して説明する。なお、実施の形態として、プリント端末とプリント料金決済システムを含むプリントシステムについて説明する。
【００１８】
＜実施の形態１＞
（プリントシステムの構成）
図１は実施の形態に係わるプリントシステムの構成を示す図である。図１に示すように、プリントシステム２０は、タッチパネル兼用の表示部３１、メモリカードのスロット部３２、メモリカードの画像データ読取部３３、メモリカード用ＩＣタグのリーダライタ３４、３５、プリンタ４０、さらにプリント取出口３６、電気関係ブロック５０等で構成されている。
【００１９】
タッチパネル兼用の表示部３１は、タッチパネルよりプリント指定、プリントサイズ、プリント枚数等の入力、また、メモリカードのプリント料金の決済情報等を表示する。
【００２０】
メモリカードのスロット部３２は、スロット溝が設けられ、メモリカードＭを挿入するとき、シャッターが移動され開き、メモリカードがスロットに装着されると、シャッターを閉じてロックし、メモリカードを一時的に取り出せなくするようにし、読み取り中にメモリカードが不用意に抜かれることを防止している。
【００２１】
メモリカードの画像データ読取部３３は、メモリカードの画像データを読み取る。リーダライタ３４、３５は、メモリカード用ＩＣタグに記憶されているプリペイド情報を非接触で読み込みを行う。プリンタ４０は、画像データに基づきプリント注文内容によりプリント処理を行う。また、プリント取出口３６は、出来上がったプリントの取出口である。さらに、電気関係ブロック５０は、プリントシステムの電気関係のブロックであり、詳しくは後述する（図３参照）。
【００２２】
なお、プリント端末の構成は、前述のプリントシステム２０の構成において、プリンタ４０を除く部分である。また、プリント料金決済システムは、前述のプリントシステム２０において、タッチパネル兼用の表示部３１、メモリカード用ＩＣタグのリーダライタ３４、３５、電気関係ブロック５０等で構成され、プリント料金を決済する部分のシステムである。
【００２３】
ここで、実施の形態で使用されるメモリカードに関する用語について説明する。
【００２４】
プリントシステムで使用されるカードを総称して「メモリカード」ということにする。メモリカードとしては、画像データが記録可能なカード、プリペイド機能付き画像データが記録可能なカード、プリペイド機能付きのカードなどがある。
【００２５】
プリペイド機能付き画像データが記録可能なメモリカードを図２に示す。図２に示すように、画像データを記録する画像記録部Ｍａと、プリペイド情報Ｍｂｄの読み書き可能なプリペイド情報部Ｍｂとから構成されている。このプリペイド情報部ＭｂはＩＣタグとなっている。なお、ＩＣタグを用いないでプリペイド情報を記録する第１領域と、画像データの記録を行う第２領域とに分け、２つの領域は別々のパーティションに割り当てられるようにしてもよい。
【００２６】
プリペイド情報部Ｍｂのプリペイド情報Ｍｂｄは、例えば、「ＭＮ００１ー３００」となっていて、「ＭＮ」は業者識別記号、「００１」はメモリカードの整理番号、「３００」はプリペイド残数金額（単位円）を表示している。また、プリペイド機能付きのカードの場合は、少なくとも前述のプリペイド情報部Ｍｂを有している。
【００２７】
また、メモリカードＭの内、画像データが記録されているメモリカードを「第１のメモリカード」ということにする。第１のメモリカードには、プリペイド機能付きメモリカード、プリペイド機能付きでないメモリカードがある。実施の形態では第１のメモリカードはスロット部３２に装填される。
【００２８】
また、メモリカードＭの内、第１のメモリカードとは異なるメモリカードであり、プリペイド機能を有するメモリカードを「第２のメモリカード」ということにする。実施の形態ではリーダライタ３５で読み書きされる。なお、第１のメモリカード、第２のメモリカードを単にメモリカードということもある。
【００２９】
次に、前述のプリントシステムの電気関係ブロック５０について説明する。図３はプリントシステムの電気関係ブロック５０を示す図である。
【００３０】
図３に示すように、制御手段５１は各ブロックを制御し、また、プリント料金計算、プリペイド残高の更新等を行う。また、メモリ５２は、プリントシステムの制御プログラムの格納、プリント注文内容の一時的格納がなされる。また、ハードディスク５３は、読みとられた画像データ、メモリカードのプリペイド情報等が蓄積される。
【００３１】
なお、画像データ読取部３３Ｅ、リーダライタ３４Ｅ、３５Ｅ、表示部３１Ｅ、プリンタ４０Ｅは、それぞれ前述の画像データ読取部３３、リーダライタ３４、３５、表示部３１、およびプリンタ４０の電気関係のブロックである。
【００３２】
なお、プリント端末の電気関係のブロックは、図３のプリントシステムの電気関係のブロックにおいて、プリンタ４０Ｅを除く構成である。また、プリント料金決済システムは、図３のプリントシステムの電気関係のブロックにおいて、制御手段５１、メモリ５２、ハードディスク５３、リーダライタ３４Ｅ、３５Ｅ、表示部３１Ｅ等で構成される。
【００３３】
ここで、前述のリーダライタ３４、３５で読み書きされるＩＣタグの電気的構成について説明する。図４はメモリカードに用いられるＩＣタグの電気的構成を示す図である。図４に示すように、ＩＣタグは、アンテナＭｂ１、送受信回路Ｍｂ２、電源回路Ｍｂ３、制御回路Ｍｂ４、およびメモリＭｂ５から構成される。アンテナＭｂ１は、ループアンテナを備え、リーダライタ３４（３５）から送信された電波信号を受信し、受信した信号を送受信回路Ｍｂ２に出力し、また、送受信回路Ｍｂ２からの入力信号をリーダライタ３４（３５）に送信する。送受信回路Ｍｂ２は、アンテナＭｂ１からの入力信号を復調して制御回路Ｍｂ４に出力し、制御回路Ｍｂ４からの入力信号を変調増幅し、アンテナＭｂ１に出力する。電源回路Ｍｂ３は、アンテナＭｂ１を介して受信した電波を電圧に変換し、ＩＣタグへの各部への電源供給を行う。制御回路Ｍｂ４は、送受信回路Ｍｂ２からの入力信号に応じて、メモリＭｂ５への情報の書き込み（記録）動作を行い、また、メモリＭｂ５に記録された情報の読み出し動作を行い、読み出した情報（信号）の変調増幅を指示する信号を送受信回路Ｍｂ２に出力する。メモリＭｂ５には、前述の業者識別記号、整理番号、プリペイド残数金額等が記録されている。
【００３４】
（プリントシステムの動作）
次に、前述のプリントシステムの構成、電気関係のブロック等を基に、プリントシステムの動作について説明する。
【００３５】
プリントシステムの動作の内、本発明に係わるプリント注文指示より、プリント料金決済及びプリント出力する方法の一例につて説明することにする。一例として、プリペイド機能付きの画像データが記録されたメモリカード（第１のメモリカード）、とプリペイド機能付きメモリカード（第２のメモリカード）を使用する例について説明するが、これに限定されるものではない。
【００３６】
最初に、一例の主操作手順について説明する。図１において、ユーザーがプリペイド機能付きの画像データが記録されたメモリカード（第１のメモリカード）Ｍをスロット部３２に装填する。次に、ユーザーは、表示部３１のタッチパネル機能を用いてサムネイル画像を確認し、プリント指定、プリントサイズ、プリント枚数等を入力する。さらに、プリペイド機能付きメモリカード（第２のメモリカード）Ｍをリーダライタ３５にタッチさせる。最後に、出来上がったプリントをプリント取出口３６から受け取る。以上が主な操作手順である。
【００３７】
次に、本発明に係わる一例の制御の流れについて、図５を中心に図１から図４も参照して説明する。図５は実施の形態１のプリントシステムにおける一例の制御の流れを示す図である。図５に示すように、ステップＳ０１では、画像データを有するメモリカード（第１のメモリカード）Ｍがスロット部３２（図２）に装填されているかを判断し、装着されていなければステップＳ０１を繰り返し装填されるのを待つ、前記メモリカードＭが装着されていれば、次のステップＳ０２に進む。また、ステップＳ０２では、プリント指定等を受け付ける。また、ステップＳ０３では、プリント指定等が入力完了したかどうか判断し、完了していなければステップＳ０２に戻り、プリント指定等が完了していればステップＳ０４に進む。
【００３８】
ステップＳ０４では、プリント指定されたプリント指定の画像データをプリンタ４０（図２）に転送し記憶する。ここで、枚数とサイズに応じたプリント料金を計算しメモリ５２に一時記憶する。ステップＳ０５では、プリペイド機能を有するメモリカード（第２のメモリカード）Ｍが、リーダライタ３５（図２）にタッチされ非接触で読みとられたかどうか判断し、タッチされていなければ、再度ステップＳ０５に戻り、タッチされたならば、次のステップＳ０６に進む。
【００３９】
ステップＳ０６では、装填されている画像データを有するメモリカード（第１のメモリカード）によるプリント料金の決済準備をし、リーダライタ３４で残高を読み取る。また、ステップＳ０７では、残高とプリント料金とを比較し、画像データを有するメモリカードＭでプリント料金を支払うプリペイド残高があるかどうか判断し、プリペイド残高があればステップＳ０８に進み、プリペイド残高がなければステップＳ０９に進む。ステップＳ０８では、画像データを有するメモリカード（第１のメモリカード）で決済が実行される。
【００４０】
一方、ステップＳ０９では、プリペイド機能を有するメモリカード（第２のメモリカード）Ｍにより不足金が決済される。なお、ステップＳ０６からＳ０９の処理は、メモリカードがタッチされている間に実行される。最後に、ステップＳ１０では、前記のプリント料金の決済処理後に、プリンタ４０（図２）によりプリント処理が実行される。
【００４１】
以上の説明からも分かるように、実施の形態のプリントシステムによれば、プリント料金を決済する際に、料金の不足分を別のメモリカードで補うことができる。また、ユーザーが第１のメモリカードにおけるプリペイド残数を優先してプリント料金を決済したい場合、便利である。また、第１のメモリカードのプリペイド残数を使い切ることができるようになる。
【００４２】
また、プリント指示の完了以前ではプリント料金の決済を行わないようにするので、例えば、プリント指定がなく正しいプリント料金が計算できないにもかかわらず誤ってプリント料金の決済がされることがなくなる。さらに、プリント指定の画像データが読み込まれた後にプリント料金を決済するので、例えば、画像データが読み込まれていない画像のプリント料金が誤って決済されることがなくなる。
【００４３】
＜実施の形態２＞
実施の形態２のプリントシステムの構成、電気関係、動作について説明する。
【００４４】
（プリントシステムの構成）
実施の形態２は、プリント料金の決済方法が異なる以外は実施の形態１と同じにあるので異なる部分を中心に説明する。実施の形態２に係わるプリントシステムの電気関係ブロックは、前述の実施の形態１に係わるプリントシステムの電気関係ブロックと下記の部分を除き機能的に同じである。制御手段５１は、実施の形態１とは異なるプリント料金計算、プリペイド残高の更新等を行う。また、メモリ５２は、実施の形態１とは異なるプリントシステムの制御プログラムが格納されている。
【００４５】
（プリントシステムの動作）
次に、前述のプリントシステムの構成、電気関係のブロック等を基に、プリントシステムの動作について説明する。
【００４６】
プリントシステムの動作の内、本発明に係わるプリント注文指示より、プリント料金決済及びプリント出力する方法の一例につて説明することにする。一例として、プリペイド機能付きの画像データが記録されたメモリカード（第１のメモリカード）、とプリペイド機能付きメモリカード（第２のメモリカード）を使用する例について説明するが、これに限定されるものではない。
【００４７】
プリントシステムの主操作手順は前述の実施の形態１と同様である。
【００４８】
次に、本発明に係わる一例の制御の流れについて、図６を中心に図１から図４も参照して説明する。図６は実施の形態２のプリントシステムにおける一例の制御の流れを示す図である。図６に示すように、ステップＳ１１では、画像データを有するメモリカード（第１のメモリカード）Ｍがスロット部３２（図２）に装填されているかを判断し、装着されていなければステップＳ０１を繰り返し装填されるのを待つ、前記メモリカードＭが装着されていれば、次のステップＳ１２に進む。また、ステップＳ１２では、プリント指定等を受け付ける。また、ステップＳ１３では、プリント指定等が入力完了したかどうか判断し、完了していなければステップＳ１２に戻り、プリント指定等が完了していればステップＳ１４に進む。ステップＳ１４では、プリント指定されたプリント指定の画像データをプリンタ４０（図２）に転送し記憶する。ここで、枚数とサイズに応じたプリント料金を計算しメモリ５２に一時記憶する。
【００４９】
ステップＳ１５では、プリペイド機能を有するメモリカード（第２のメモリカード）Ｍが、リーダライタ３５（図２）にタッチされ非接触で読みとられたかどうか判断し、タッチされていなければ、再度ステップＳ１５に戻り、タッチされたならば、次のステップＳ１６に進む。また、ステップＳ１６では、プリペイド機能を有するメモリカード（第２のメモリカード）によるプリント料金の決済準備をし、リーダライタ３５で残高を読み取る。また、ステップＳ１７では、残高とプリント料金とを比較し、プリペイド機能を有するメモリカード（第２のメモリカード）でプリント料金を支払うプリペイド残高があるかどうか判断し、プリペイド残高があればステップＳ１８に進み、プリペイド残高がなければステップＳ１９に進む。ステップＳ１８では、プリペイド機能を有するメモリカード（第２のメモリカード）で決済が実行される。
【００５０】
一方、ステップＳ１９では、画像データのあるメモリカード（第１のメモリカード）により不足金が決済される。なお、ステップＳ１６からＳ１９の処理は、メモリカードがタッチされている間に実行される。最後に、ステップＳ２０では、前記のプリント料金の決済処理後に、プリンタ４０（図２）によりプリント処理が実行される。
【００５１】
以上の説明からも分かるように、実施の形態のプリントシステムによれば、プリント料金を決済する際に、料金の不足分を別のメモリカードで補うことができる。また、ユーザーが第２のメモリカードにおけるプリペイド残数を優先してプリント料金を決済したい場合、便利である。また、第２のメモリカードのプリペイド残数を使い切ることができるようになる。
【００５２】
また、プリント指示の完了以前ではプリント料金の決済を行わないようにするので、例えば、プリント指定がなく正しいプリント料金が計算できないにもかかわらず誤ってプリント料金の決済がされることがなくなる。また、プリント指定の画像データが読み込まれた後にプリント料金を決済するので、例えば、画像データが読み込まれていない画像のプリント料金が誤って決済されることがなくなる。
【００５３】
なお、実施の形態１、実施の形態２では、プリペイド機能付の画像データが記録可能なメモリカード（第１のメモリカード）を用いる場合について説明したが、プリペイド機能付でない画像データ記録可能なメモリカードを用いる場合につて説明すると、実施の形態１では、図５において、ステップＳ０５とステップＳ０６との間に、第１のメモリカードがプリペイド機能付であるかどうか判断するステップを設け、プリペイド機能付でない第１のメモリカードの場合には、第２のメモリカードのみによりプリント料金の決済を行い、その後、ステップＳ１０に進みプリント処理を行うようにする。また、実施の形態２では、図６において、ステップＳ１５とステップＳ１６との間に、第１のメモリカードがプリペイド機能付であるかどうか判断するステップを設け、プリペイド機能付でない第１のメモリカードの場合には、第２のメモリカードのみによりプリント料金の決済を行い、その後、ステップＳ２０に進みプリント処理を行うようにする。
【００５４】
さらに、実施の形態１と実施の形態２で、それぞれ一例の制御の流れについて説明したが、この一例の制御に限定されるものではなく、例えば、実施の形態１と実施の形態２に示す前述の制御を任意に選択できる制御とすることもできる。
【図面の簡単な説明】
【００５５】
【図１】実施の形態に係わるプリントシステムの構成を示す図である。
【図２】プリペイド機能付き画像データ記録可能なメモリカードの構成を示す図である。
【図３】プリントシステムの電気関係ブロックを示す図である。
【図４】メモリカードに用いられるＩＣタグの電気的構成を示す図である。
【図５】実施の形態１のプリントシステムにおける一例の制御の流れを示す図である。
【図６】実施の形態２のプリントシステムにおける一例の制御の流れを示す図である。
【符号の説明】
【００５６】
２０  プリントシステム
３２  スロット部
３３  画像データ読取部
３４、３５  リーダライタ
４０  プリンタ
５１  制御手段
Ｍ  メモリカード（第１のメモリカード、第２のメモリカード）
Ｍａ  画像記録部
Ｍｂ  プリペイド情報部（ＩＣタグ）
Ｍｂｄ  プリペイド情報
【図１】
2007052578.tif 000003
【図２】
2007052578.tif 000004
【図３】
2007052578.tif 000005
【図４】
2007052578.tif 000006
【図５】
2007052578.tif 000007
【図６】
2007052578.tif 000008